(57)【要約】      （修正有）【課題】外観の見栄えを向上させ、汎用性が一層高くなるコンテナハウスを提供する。【解決手段】コンテナからなるコンテナ本体２と、コンテナ本体の外側面を覆うように取付けられた外装パネル３とからなり、外装パネルは木質系材料からなる。外装パネルは、木質系材料を用いて切子柄や格子柄等にデザイン化されたものであることが好ましい。【選択図】図１
0003216766.tif 000002
【実用新案登録請求の範囲】
【請求項１】
コンテナからなるコンテナ本体と、該コンテナ本体の外側面を覆うように取付けられた外装パネルとからなり、前記外装パネルは木質系材料からなることを特徴とするコンテナハウス。
【請求項２】
請求項１に記載のコンテナハウスにおいて、
前記外装パネルは、前記木質系材料を用いて切子柄や格子柄等にデザイン化されたものであることを特徴とするコンテナハウス。
【請求項３】
請求項１又は２に記載のコンテナハウスにおいて、
前記外装パネルは、前記コンテナ本体の各外側面に対応する枠体を備え、当該枠体とともに金具を介して前記コンテナ本体の各外側面に取付けられていることを特徴とするコンテナハウス。
【請求項４】
請求項１〜請求項３のいずれか１項に記載のコンテナハウスにおいて、
前記木質系材料は、前記天然無垢材からなることを特徴とするコンテナハウス。
【考案の詳細な説明】
【技術分野】
【０００１】
本考案は、宿舎或いはレストハウス、店舗、オフィス或いは住宅等に適用されるコンテナハウスに関する。
【背景技術】
【０００２】
従来、コンテナを建築物（コンテナハウス）とすることが提案されている（例えば、特許文献１、２等参照）。コンテナは、運搬がし易く、堅牢であること等から、前記のように宿舎或いはレストハウス、店舗、オフィス或いは住宅等の建築物としての応用されている。また特許文献１に開示されているように中古のコンテナを活用した例も種々知られている。
【先行技術文献】
【特許文献】
【０００３】
【特許文献１】特開２００１−２８８９１１号公報
【特許文献２】特開２００８−３１６７６号公報
【考案の概要】
【考案が解決しようとする課題】
【０００４】
ところで、このようなコンテナは硬質で無機質な鉄板で形成されているため、外観の見栄えを向上させることが課題となる。前記特許文献には、コンテナの内外に適宜パネルを取付け、内外装がなされることが記載されている。しかし、当該特許文献では、特に外観において、コンテナの硬質で無機質な雰囲気を払拭するように工夫された外装パネルを用いることについて言及されていない。
【０００５】
本考案は、上記実情に鑑みなされたもので、外観の見栄えを向上させ、コンテナハウスの汎用性を一層高めることを目的としている。
【課題を解決するための手段】
【０００６】
本考案に係るコンテナハウスは、コンテナからなるコンテナ本体と、該コンテナ本体の外側面を覆うように取付けられた外装パネルとからなり、前記外装パネルは木材からなることを特徴とする。
本考案によれば、コンテナ本体がコンテナからなるから、設置場所への輸送が簡易且つ低コストでなされ、また短い工期で建築施工がなされる。さらに、堅牢なコンテナが建屋の基体となるから、補強工事等も少なく、建築費を大幅に削減でき、施工後も家具を収容したまま移動が可能である。そして、外装パネルが木質系材料からなるから、コンテナの無機質な雰囲気を一掃し、斬新で美しさややすらぎ感のある独特の雰囲気が醸し出される。
【０００７】
本考案のコンテナハウスにおいて、前記外装パネルは、前記木質系材料を用いて切子柄や格子柄等にデザイン化されたものであっても良い。
これによれば、木質系材料と日本古来の切子柄や格子柄等のデザインがマッチングし、よりやすらぎ感のある独特の雰囲気が得られる。
【０００８】
本考案のコンテナハウスにおいて、前記外装パネルは、前記コンテナ本体の各外側面に対応する枠体を備え、当該枠体とともに金具を介して前記コンテナ本体の各外側面に取付けられているものとしても良い。
これによれば、外装パネルは、コンテナ本体の各外側面に安定した取付け状態とされる。
この場合、前記木質系材料は、前記天然無垢材からなるものとしても良い。
これによれば、天然材料特有の香り、風合い、温かみを持ったものとすることができる。
【考案の効果】
【０００９】
本考案のコンテナハウスによれば、外観の見栄えが向上し、その汎用性が一層高められる。
【図面の簡単な説明】
【００１０】
【図１】本考案に係るコンテナハウスの一実施形態示す概略的斜視図である。
【図２】同実施形態に用いられるコンテナの一例を示す概略的斜視図である。
【図３】同実施形態に用いられる外装パネルの他の例を示す図１の拡大部に対応する図である。
【図４】同実施形態に用いられる外装パネルの他の例を示す図１の拡大部に対応する図である。
【図５】同実施形態に用いられる外装パネルの他の例を示す部分破断縦断面図である。
【図６】同実施形態に用いられる外装パネルの他の例を示す部分破断斜視図である。
【図７】外装パネルのコンテナ本体に対する取付け構造の一例を示す部分破断縦断面図である。
【考案を実施するための形態】
【００１１】
以下に本考案の実施の形態について、図面を参照して説明する。図１〜図７は、本考案に係るコンテナハウス１の一例を示している。まず、本実施形態のコンテナハウス１にコンテナ本体２として用いられるコンテナの一例を図２を参照して説明する。図例のコンテナ本体２は、トラック輸送等に用いられるコンテナであって、直方体の箱型に構成され、基台２０の上に金属製のフレーム２１…によって一体に枠組みされ、フレーム２１によって囲まれた各面域には金属板（側壁板、天壁板）２２，２３…が張られている。コンテナ２における直方体の短辺側の一面には、荷物を出し入れするための貨物用ドア２４が設けられている。また、基台２０の長辺側の面には、トラックの台車（トレーラ）に上げ降ろしするための一対のフォークリフト用切欠部（フォークポケット）２０ａが形成されている。
【００１２】
本実施形態のコンテナハウス１は、前記のようなコンテナをコンテナ本体２として、その少なくとも側壁部（外側面）を、デザイン化された外装パネル３…で覆うことによって構成される。この外装パネル３…で側壁部を覆うに先立って、側壁部の一部には、出入口や窓用の開口が刳り貫き施工され、この刳り貫き部分に出入口ドア４や窓５等が取付られる。また、出入口ドア４の前には適宜ポーチ４０等が設置される。外装パネル３は、木質系材料からなり、木質系材料としては、天然無垢材が望ましいが、これに限定されず、天然無垢材の他、合板等の木質積層板、パーティクルボード等の木質ボード、ＭＤＦ（中密度繊維板）等の木質繊維板などの木質系ボードから形成されたものとしてもよい。
天然無垢材からなる外装パネル３とする場合は、低温除湿乾燥された桧や杉等を用いることができ、この場合、後記するように天然材料特有の香り、風合い、温かみのある外装パネル３とすることができる。外装パネル３の構成は、角材や板材等とされた木質系材料を組み合わせて図１に示すような切子（江戸切子）柄、図３に示すような格子柄、図４に示すような木口面張り柄、図５に示すような鎧張り柄、さらには図６に示すような間柱柄等が好ましく採用され、このように複数種類のデザインの中から自由に選んで構成できる。よって、図１では、いずれも切子柄の外装パネル３を構成した例を示しているが、例えば出入口ドア４が取り付けられた面は、切子柄とし、窓５が取り付けられた面は、図３に示すような格子柄とする等、ユーザの好みやイメージ合わせてオーダーメイドで選んで取り付けることができる。
【００１３】
このような外装パネル３は、コンテナ本体２の各外側面に対応する縦框３１及び横框３２からなる枠体３０を備える。枠体３０は、外装パネル３と同様に木質系材料からなり、外装パネル３は、枠体３０に一体に構成される。外装パネル３と同様に枠体３０も天然無垢材からなるものとしてもよく、この場合、強度、見栄えともに良いものとすることができる。外装パネル３は、施工対象のコンテナ本体２の各外壁部に合せて、事前に枠体３０とともに作製され、後記するように、金具を用いて、コンテナ２の各外壁部に取付られる。また、内壁や床の内装、電気、水或いはガス等の配線・配管施工、さらには厨房設備等の設置等は、必要に応じて適宜なされる。さらに、天板上に太陽光パネルを設置したり、側部に階段及び天板周囲に柵を設け、天板上にデッキ材を敷設してデッキテラスとすることも可能である。加えて、当該コンテナハウス１を複数連ね或いは組み合わせて、多様な生活空間や商業施設とすることも可能である。
【００１４】
図１に示す切子柄の外装パネル３は、前記木質系材料からなる厚手の帯板材（横方向材３ａ及び斜め縦方向材３ｂ）を交差するように組み合わせてデザイン化したものである。図例の切子柄は、上方に向かうほど、横方向材３ａ同士の間隔を狭め、横方向材３ａ及び斜め縦方向材３ｂによる三角形状の頂角が大きくなるようにデザイン化されている。これにより、上方部が丸みを帯び、全体形状に柔らかみがあるように視覚される。なお、三角形状の角度等は、図例に限定されるものではなく、横方向材３ａ，斜め縦方向材３ｂの数等も図例に限定されるものではない。また、図３に示す格子柄の外装パネル３は、縦方向材（竪子）３ｃと多数の横方向材（貫）３ｄとを組み合わせてデザイン化したものである。さらに、図４に示す木口面張柄の外装パネル３は、多数の角材３ｅの切断端面（木口面）が外側に向くように縦方向材３ｆで支持するように組み合わせてデザイン化したものである。また、図５に示す鎧張り柄の外装パネル３は、一側面が斜めにカットされた断面台形状の多数の角材３ｇを、カット面が外側に向き且つ台形状の上底が上に位置するように縦方向に整列された状態で縦方向材３ｈで支持してデザイン化したものである。さらにまた、図６に示す間柱柄の外装パネル３は、壁板材３ｉと横方向に間隔毎に配列された間柱材３ｊとを組み合わせてデザイン化したものである。このような外装パネル３を用いれば、無機質なコンテナのイメージを一掃する和モダンでインパクトがあり、存在感のあるコンテナハウス１とすることができる。なお、外装パネル３を構成する各種方向材３ａ〜３ｆ、角材３ｅ，３ｇは、同種の木質系材料を用いてもよいし、適宜異なる種類の木質系材料を用いてもよい。
【００１５】
前記のように構成されるコンテナハウス１は、コンテナ本体２がコンテナからなるから、設置場所への輸送が簡易且つ低コストでなされ、また短い工期で建築施工がなされる。さらに、堅牢なコンテナが建屋の基体であるコンテナ本体２となるから、補強工事等も少なく、建築費を大幅に削減できる。そして、外装パネル３が天然無垢材等の木質系材料からなるから、外観がコンテナの無機質な雰囲気から一掃され、斬新で美しさややすらぎ感のある独特の雰囲気が醸し出される。しかも、外装パネル３は、木質系材料を用いて切子柄や格子柄等にデザイン化されたものであるから、木質系材料と日本古来のデザインによる風合いとがマッチングし、よりやすらぎ感のある独特の雰囲気が醸し出される。そして、低温除湿乾燥を施した天然無垢材を外装パネル３として用いた場合は、傷みにくく木本来の生命力が活き、好適な居住性が実現される。例示したような外装パネル３のデザインは、それぞれに特有の味わいがあるが、これらに限られるものでなく、他のデザインも含め、需要者のモチーフに応じて適宜選択採用される。よって、例えば切子柄も図例に限定されず、矢来文、七宝文、菊花文、笹の葉文等の伝統的な文様をモチーフにデザインすることができる。図３〜図６に示す各種デザインも図例に限定されず、間隔等は適宜デザインすることができる。
【００１６】
さらに、本実施形態のコンテナハウス１では、外装パネル３が枠体３０に一体に構成され、この枠体３０とともに、コンテナ本体２の外壁部に取付けられているから、安定した取付け状態とされる。しかも、枠体３０は、外装パネル３と同じ天然無垢材からなるから、枠体３０と外装パネル３とが調和した一体感を醸し出す。また、前記のとおり、天然無垢材として、桧或いは杉が好ましく採用される。桧は、清々しい香りを放ち、森林浴のリラックス効果とリフレッシュ効果がある。また、人体に対して強壮作用と鎮静作用があるとされている。杉は、その芳香が人間の脳と自立神経に作用して、鎮静・リラックス効果があるとされ、さらに、空気の浄化作用が高く、空気中の有害物質を吸着しやすい性質がある。したがって、外装パネル３及び枠体３０を桧や杉等の天然無垢材によって構成することにより、外装パネル３のデザインとも相俟って、より好適なやすらぎ感等を享受することができる。
【００１７】
本実施形態のコンテナハウス１によれば、同規模の一般建築物と比較した場合、価格は６割程度であり、また、施工に要する工期は、一般建築物が１．５〜２カ月を要するのに対し当該コンテナハウス１は、１カ月ですむ。移動は、一般建築物が不可であるのに対し、当該コンテナハウス１は可能である。さらに、撤去は、一般建築物は解体して廃棄物とする必要があって、その費用が発生するのに対し、当該コンテナハウス１は、スクラップ業者や中古販売会社に買い取らせることが可能で、輸送費用がこれで相殺されて、費用の発生が抑えられるメリットがある。
【００１８】
次に外装パネル３のコンテナ本体２に対する取付け構造の一例を、図７を参照して説明する。図７に示す例では、外装パネル３を構成する枠体３０が、２本の縦框３１（一方は不図示）と、２本の縦框３１の上端に横架された１本の横框３２からなる。縦框３１と横框３２とにより区画される面域の大きさは、コンテナ本体２における取付対象の側壁板２２の大きさに対応する。そして、２本の縦框３１間には、多数の横方向板材３ｋ…が、その一部が重なるようにして縦方向に連なるように架設され、この多数の横方向板材３ｋ…によって鎧張り柄が構成されている。天壁板２３の側辺部上面には、取付用の金具としてのＬ形鋼（アングル）６が、その一片が上向きで側壁板２２と面一になるように溶接によって固着されている。一方、外装パネル３を構成する枠体３０の横框３２その下面には、前記Ｌ形鋼６と同じく取付用の金具としてのＬ形鋼７が、その一片が下向きで、縦框３１よりコンテナ本体２側にＬ形鋼６の片部の厚み分の間隔が空くように、ビス７ａによって固着されている。また、コンテナ本体２における側壁板２２の下辺隅部の内側には、取付用の金具としてのナット８が溶接によって固着されている。
【００１９】
前記のような構成において、枠体３０が一体とされた外装パネル３をコンテナ本体２に取付けるに際して、先ず、外装パネル３を、コンテナ本体２に固着されたＬ形鋼６と、枠体３０に固着されたＬ形鋼７とが、その対向する縦方向の一片同士が噛み合うように係止させる。次いで、両Ｌ形鋼６，７の一辺同士を重なった状態で、ビス６ａによって縦框３１に固定する。そして、縦框３１の下端部と下辺側の横方向板材３ｋに予め形成された貫通孔に取付用の金具としてのボルト９を挿通して、前記ナット８に螺合させる。これによって、外装パネル３のコンテナ本体２に対する取付けが完了する。このような取付構造は、市販の鋼材（Ｌ形鋼６，７）や締結治具（ビス６ａ，７ａ，ボルト・ナット９，８）を取付用の金具として用いて構成されるから、外装パネル３の取付施工が簡易且つ低コストでなされる。また錆止め、塗装を施すことにより、耐久性を備えたものとすることができる。
【００２０】
なお、前記実施形態では、コンテナハウス１を地上に直接設置する例を述べたが、これに限られない。例えば、車検を取得したトレーラ付トラクタのトレーラ上に当該コンテナハウスを積載し、目的の設置場所では、トレーラとトラクタとを切り離すようにした所謂トレーラハウスのような応用も可能である。この場合、設置場所では駐車許可が必要であるが、地上に直接設置する場合のような建築確認申請が不要とされ、手続の煩雑さが少なく、手続費用も安くなる。また、市街化調整区域においては、トレーラ（専用台車）を活用することで、合法的なコンテナの利用が可能となる。そして、自動車の範疇に属するから、駐車許可さえ得られれば、任意の場所に移動可能であり、家具や什器を積んだまま移動することによって、居住空間のバラエティーに富んだ環境変化を楽しむことができる。
また、天然無垢材として、桧や杉を用いることを述べたが、その他の天然無垢材を用いることも可能である。さらに、コンテナ本体としてのコンテナも図例のような車両用コンテナに限らず、鉄道用や船舶用のコンテナであってもよい。さらに、例示した外装パネル３の取付構造は一例であって、これに限られず他の取付構造も採用可能である。さらにまた、枠体３０の構造も、縦框３１及び横框３２だけによるのに限らず、中桟や間柱を追加し、これらにも外装パネル３を適宜金具を用いて取付けるようにしてもよい。特に、船舶用のコンテナを用いる場合は、コンテナ本体２が大きくなるから、外装パネル３の取付強度を補強する意味で有効である。
【符号の説明】
【００２１】
１                      コンテナハウス
２                      コンテナ本体
２２                    外側面
３                      外装パネル
３０                    枠体
６，７                  Ｌ形鋼（金具）
６ａ，７ａ              ビス（金具）
９，８                  ボルト・ナット（金具）
【図１】
0003216766.tif 000003
【図２】
0003216766.tif 000004
【図３】
0003216766.tif 000005
【図４】
0003216766.tif 000006
【図５】
0003216766.tif 000007
【図６】
0003216766.tif 000008
【図７】
0003216766.tif 000009